(57)【要約】      （修正有）【課題】ヘッドフォンと音源を一体化して外部接続コードを省き、音源、ヘッドフォンを含む全体的な体積を縮小し、さらに簡易な操作でコードの巻き取り、引出しと位置決めを正確に行うことができ、左右ヘッドフォンの間の距離を適宜に調整できるヘッドフォンを提供する。【解決手段】２つの独立した耳掛け式ヘッドフォンをコードで接続してなり、一方のヘッドフォンが外カバーと、耳掛け部と、音源コアと、支持座と、スピーカーと、リアカバーとを含んでなり、他方のヘッドフォンは、外カバーと嵌合部材と、渦巻きバネと、バネ下敷と、回転盤と、支持座と、コードと、位置決めボールと、スピーカーと、リアカバーとを含んでなり、該コードの巻き取り機能を具えるように構成する。【選択図】図４
0003113889.tif 000002
【実用新案登録請求の範囲】
【請求項１】
２つの独立した耳掛け式ヘッドフォンをコードで接続してなるヘッドフォンであって、
一方のヘッドフォンが外カバーと、耳掛け部と、音源コアと、支持座と、スピーカーと、リアカバーとを含んでなり、
該外カバーは、支持座に嵌着して上面を被覆し、外周面には耳掛け部を設け、該耳掛け部の外周面には少なくとも１以上の押しボタンと充電ソケット溝と、電源指示ランプとを設け、
該支持座は上面に該音源コアを収納する収納空間を形成し、底部外面には外周に沿って柵状の壁面を形成し、該柵状の壁面に取り囲まれて形成される空間を、該スピーカーを収納する空間とし、該柵状の壁面の外面に係合爪を形成し
該音源コアは該支持座の収納空間に設け、かつ電力源となる電池を埋め込み、該外カバーに設ける充電ソケットを介して充電するように構成し、該音源コアに接続するリード線が該支持座を貫通して該スピーカーに接続するとともに、別途コードを介して他方のヘッドフォンに接続し、
該スピーカーは該支持座の底部外面に形成される空間に収納し、リードを介して音源コアと接続し、
該リアカバーは音声を外部に伝える複数の孔部を穿設するとともに、外周に沿って該支持座の係合爪に対応する嵌合溝を形成してなり、該スピーカーを収納した支持座の底部外面に嵌合させてスピーカーを位置決めし、
他方のヘッドフォンは、前記の一方のヘッドフォンと略同様であって、外カバーと嵌合部材と、渦巻きバネと、バネ下敷と、回転盤と、支持座と、コードと、位置決めボールと、スピーカーと、リアカバーとを含んでなり、
該外カバーは、外周面には耳掛け部を設け、
該回転盤は、中心に貫通孔を穿設し、上面に収納空間を有する上支持部と、及び下支持部を具え、かつ該上支持部に上巻き取り溝を形成し、下支持部に下巻き取り溝を形成し、該上支持部の内壁に該渦巻きバネの一端を係止さえる係止溝と該コードを通過させて該下巻き取り溝に至らせる貫通孔を形成し、別途底面に該位置決めボールに転動、スライド、後退、運行、係止の動作を行わせる位置決めレールを形成し、
該支持座は、底面の中心の位置に、上端から軸方向に切り欠き状の溝を形成した取り付け軸を設けて該回転盤を設け、底部外面には外周に沿って柵状の壁面を形成し、該柵状の壁面に取り囲まれて形成される空間を、該スピーカーを収納する空間とし、該柵状の壁面の外面に係合爪を形成し、
該渦巻きバネは、該回転盤の上支持部の収納空間に該バネ下敷きを設け、該バネ下敷き上に設けて上面に該嵌合部材を設け、かつ内側端縁部を該支持座の取り付け軸に形成した切り欠き状の溝を利用して該回転盤に取り付け、外側端縁部を該回転盤の上支持部の内壁に係止溝に固定し、
該コードは一方のヘッドフォンから該上巻き取り溝に至り、さらに該下巻き取り溝至り、同等の長さで該上巻き取り溝と該下巻き取り溝にそれぞれ正方向と逆方向に巻き取り、
該位置決めボールは該支持座の該位置決めレール溝に対応する位置決め端溝とによって転動、スライド、後退、運行、係止の動作を行ない、
該スピーカーは該支持座の底部外面の空間に収納し、該回転盤の下巻き取り溝から該支持座を通過するコードに接続し、
該リアカバーは音声を外部に伝える複数の孔部を穿設するとともに、外周に沿って該支持座の係合爪に対応する嵌合溝を形成してなり、該スピーカーを収納した支持座の底部外面に嵌合させてスピーカーを位置決めすることを特徴とするヘッドフォン。
【請求項２】
前記回転盤の位置決めレール溝と該支持座の位置決め端が、該回転盤の位置決めレール溝に形成される位置制限端によって、該コードを引っ張って一回転させる毎に位置決めを１回発生させる機能を具えるように構成することを特徴とする請求項１に記載のヘッドフォン。
【考案の詳細な説明】
【技術分野】
【０００１】
この考案はヘッドフォンに関し、特に音源を内蔵した耳掛け式のヘッドフォンに関する。
【背景技術】
【０００２】
科学技術の発展に伴い、各種の電子オーディオ設備とそのアクセサリー製品も技術的に発展し、広く普及している。ヘッドフォン製品を例に挙げると、ヘッドフォンは既に技術的な成熟を遂げ、理想的なデザインがなされていて、市場のニーズに対応すべく様々な様式の製品が販売されている。
【０００３】
但し、ヘッドフォンは如何なる様式であろうと単一の機能しかない。即ちヘッドフォンは伝送線を介して外部の音源に接続し、初めて音声、音楽等の音声信号を再生することができる。目下のヘッドフォンは初期の頃のモノラル音響ではなく、高等なステレオ音響の再生機能を具えている。このため、消費者に広く愛用されている。更に、コンパクト型カセットテープ録音、再生機の出現から今日のＭＰ３、ポータブルハードディスクプレーヤー、携帯電話機に至るまで、ヘッドフォンを使用する機会が増え、あたかも流行のようになっている。
【０００４】
上述するようにヘッドフォンは、音源によって完全に制限を受ける。言いかえれば、仮に外部の音源からの信号が無ければヘッドフォンは何ら作用も起きない。即ちヘッドフォンはヘッドフォンであり、音源は音源であって、両者は分割された個別の独立体である。
【０００５】
また、従来のヘッドフォンにおいてコード（信号伝送用の外部接続コードと、左右ヘッドフォンに接続するコードの２種類を含む）は、欠かすことのできない部材である。このコードはヘッドフォンを制御する上で大きな問題となる場合がある。ヘッドフォンは如何なる時間、場所であろうとコードの長さは固定されたものである。よって、必要時に長さを変更することができない。長すぎたり短すぎたりする場合、使用者にとって操作、もしくは制御する上で極めて大きな不便をもたらす。
【考案の開示】
【考案が解決しようとする課題】
【０００６】
この考案はヘッドフォンと音源を一体化することによって、外部接続コードを省くとともに、音源、ヘッドフォンを含む全体的な体積を縮小することができるヘッドフォンを提供することを課題とする。
【０００７】
また、この考案はヘッドフォン側から電源の開閉、音量の調整、再生の開始、中止等の操作を行うことができ、携帯に便利で実用的なヘッドフォンを提供することを課題とする。
【０００８】
また、この考案は簡易な操作でコードの巻き取り、引出しと位置決めを正確に行うことができ、左右ヘッドフォンの間の距離を適宜に調整できるヘッドフォンを提供することを課題とする。
【課題を解決するための手段】
【０００９】
そこで、本考案者は従来の技術に見られる欠点に鑑み鋭意研究を重ねた結果、２つの独立した耳掛け式ヘッドフォンをコードで接続してなり、  一方のヘッドフォンが外カバーと、耳掛け部と、音源コアと、支持座と、スピーカーと、リアカバーとを含んでなり、他方のヘッドフォンは、外カバーと嵌合部材と、渦巻きバネと、バネ下敷と、回転盤と、支持座と、コードと、位置決めボールと、スピーカーと、リアカバーとを含んでなり、該コードの巻き取り機能を具えるヘッドフォンの構造によって課題を解決できる点に着眼し、かかる知見に基づいて本考案を完成させた。
【００１０】
以下、この考案について具体的に説明する。
請求項１に記載するヘッドフォンは、 ２つの独立した耳掛け式ヘッドフォンをコードで接続してなるヘッドフォンであって、
一方のヘッドフォンが外カバーと、耳掛け部と、音源コアと、支持座と、スピーカーと、リアカバーとを含んでなり、
該外カバーは、支持座に嵌着して上面を被覆し、外周面には耳掛け部を設け、該耳掛け部の外周面には少なくとも１以上の押しボタンと充電ソケット溝と、電源指示ランプとを設け、
該支持座は上面に該音源コアを収納する収納空間を形成し、底部外面には外周に沿って柵状の壁面を形成し、該柵状の壁面に取り囲まれて形成される空間を、該スピーカーを収納する空間とし、該柵状の壁面の外面に係合爪を形成し
該音源コアは該支持座の収納空間に設け、かつ電力源となる電池を埋め込み、該外カバーに設ける充電ソケットを介して充電するように構成し、該音源コアに接続するリード線が該支持座を貫通して該スピーカーに接続するとともに、別途コードを介して他方のヘッドフォンに接続し、
該スピーカーは該支持座の底部外面に形成される空間に収納し、リードを介して音源コアと接続し、
該リアカバーは音声を外部に伝える複数の孔部を穿設するとともに、外周に沿って該支持座の係合爪に対応する嵌合溝を形成してなり、該スピーカーを収納した支持座の底部外面に嵌合させてスピーカーを位置決めし、
他方のヘッドフォンは、前記の一方のヘッドフォンと略同様であって、外カバーと嵌合部材と、渦巻きバネと、バネ下敷と、回転盤と、支持座と、コードと、位置決めボールと、スピーカーと、リアカバーとを含んでなり、
該外カバーは、外周面には耳掛け部を設け、
該回転盤は、中心に貫通孔を穿設し、上面に収納空間を有する上支持部と、及び下支持部を具え、かつ該上支持部に上巻き取り溝を形成し、下支持部に下巻き取り溝を形成し、該上支持部の内壁に該渦巻きバネの一端を係止さえる係止溝と該コードを通過させて該下巻き取り溝に至らせる貫通孔を形成し、別途底面に該位置決めボールに転動、スライド、後退、運行、係止の動作を行わせる位置決めレールを形成し、
該支持座は、底面の中心の位置に、上端から軸方向に切り欠き状の溝を形成した取り付け軸を設けて該回転盤を設け、底部外面には外周に沿って柵状の壁面を形成し、該柵状の壁面に取り囲まれて形成される空間を、該スピーカーを収納する空間とし、該柵状の壁面の外面に係合爪を形成し、
該渦巻きバネは、該回転盤の上支持部の収納空間に該バネ下敷きを設け、該バネ下敷き上に設けて上面に該嵌合部材を設け、かつ内側端縁部を該支持座の取り付け軸に形成した切り欠き状の溝を利用して該回転盤に取り付け、外側端縁部を該回転盤の上支持部の内壁に係止溝に固定し、
該コードは一方のヘッドフォンから該上巻き取り溝に至り、さらに該下巻き取り溝至り、同等の長さで該上巻き取り溝と該下巻き取り溝にそれぞれ正方向と逆方向に巻き取り、
該位置決めボールは該支持座の該位置決めレール溝に対応する位置決め端溝とによって転動、スライド、後退、運行、係止の動作を行ない、
該スピーカーは該支持座の底部外面の空間に収納し、該回転盤の下巻き取り溝から該支持座を通過するコードに接続し、
該リアカバーは音声を外部に伝える複数の孔部を穿設するとともに、外周に沿って該支持座の係合爪に対応する嵌合溝を形成してなり、該スピーカーを収納した支持座の底部外面に嵌合させてスピーカーを位置決めする。
【００１１】
請求項２に記載するヘッドフォンは、請求項１における回転盤の位置決めレール溝と該支持座の位置決め端が、該回転盤の位置決めレール溝に形成される位置制限端によって、該コードを引っ張って一回転させる毎に位置決めを１回発生させる機能を具えるように構成する。
【考案の効果】
【００１２】
本考案のヘッドフォンは、この考案はヘッドフォンと音源を一体化することによって、外部接続コードを省くとともに、音源、ヘッドフォンを含む全体的な体積を縮小することができ、さらに簡易な操作でコードの巻き取り、引出しと位置決めを正確に行うことができ、左右ヘッドフォンの間の距離を適宜に調整でき、携帯に便利で実用的である。
【考案を実施するための最良の形態】
【００１３】
この考案は、音源を内蔵した耳掛け式のヘッドフォンを提供するものであって、２つの独立した耳掛け式ヘッドフォンをコードで接続してなり、一方のヘッドフォンが外カバーと、耳掛け部と、音源コアと、支持座と、スピーカーと、リアカバーとを含んでなり、他方のヘッドフォンは、外カバーと嵌合部材と、渦巻きバネと、バネ下敷と、回転盤と、支持座と、コードと、位置決めボールと、スピーカーと、リアカバーとを含んでなり、該コードの巻き取り機能を具えるように構成し、外部接続コードを省くとともに、音源、ヘッドフォンを含む全体的な体積を縮小することができ、さらに簡易な操作でコードの巻き取り、引出しと位置決めを正確に行うことができ、左右ヘッドフォンの間の距離を適宜に調整できるようにするという目的を実現した。
係る構成のヘッドフォンについて、その構造と特徴を詳述するために具体的な実施例を挙げ、以下に説明する。
【実施例１】
【００１４】
図１に開示するように、この発明によるヘッドフォンは、実施例においては耳掛け式の形態であって、２つの独立した第１ヘッドフォン１と第２ヘッドフォン２をコード３で接続して構成する。
【００１５】
図３に開示するように、第１ヘッドフォン１は音源内蔵式のヘッドフォンであって、外カバー１１と、耳掛け部１２と、音源コア１３と、支持座１４と、スピーカー１５と、リアカバー１６などの部材によって構成する。
【００１６】
外カバー１１は、支持座１４に嵌着して上面を被覆する。また、外カバー１１の外周面には耳掛け部１２を設け、耳掛け部１２の外周面には電源開閉の操作、音量の制御、再生、停止の操作などを行う押しボタン１１１を少なくとも１以上設ける。
【００１７】
図４の右側に開示するように、支持座１４内には音源コア１３を固定する。音源コア１３はＭＰ３コア、ラジオコア、もしくは其の他ヘッドフォンを介して伝送可能なメモリコアなどを用い、さらに音源コア１３には電力源となる電池１３１（例えばリチウム電池）を埋め込む。
【００１８】
また、外カバーの外周面に充電ソケット溝１１２を形成するとともに、電源の電力の状態を示し、電池１３１に対する充電の必要を表示する電源指示ランプ１１３を設ける（データを音源コア１３に入力する場合、外カバーを開けて直接音源コア１３に入力してもよい）。
【００１９】
支持座１４の底部外面には外周に沿って柵状の壁面を形成する。音源コア１３に接続するリード線１３２は支持座１４を貫通して第１ヘッドフォン１のスピーカー１５に接続し、別途コード３を介して第２ヘッドフォン２に接続して信号を伝送する。コード３は、支持座１４の底部外面に形成した柵状の壁面の隙間１４１を貫通して外方向に延伸する。
【００２０】
支持座１４の底部外面の柵状の壁面に取り囲まれて形成される空間は、高さがスピーカー１５の厚さと略同様であり、該空間にスピーカー１５を収納する。また、該柵状の壁面の外面に係合爪１４２を形成する。
【００２１】
リアカバー１６は、音声を外部に伝える複数の孔部１６１を穿設するとともに、外周に沿って該支持座１４の係合爪１４２に対応する嵌合溝１６２を形成してなり、スピーカー１５を収納した支持座１４の底部外面に嵌合させてスピーカー１５を位置決めする。
【００２２】
図２に第２ヘッドフォン２の構造を開示する。第２ヘッドフォン２は外観が第１ヘッドフォン１と略同様であって、外カバー２１と嵌合部材２２と、渦巻きバネ２３と、バネ下敷２４と、回転盤２５と、支持座２６と、コード３と、位置決めボール２７と、スピーカー２８と、リアカバー２９とを含んでなる。
【００２３】
回転盤２５は、上面に収納空間を有する上支持部２５１と、及び下支持部２５４とによってなり、該収納空間内に回路ボードを設け、バネ下敷２４を該回路ボード上に敷設して渦巻きバネ２３を設け、さらに嵌合部材２２を渦巻きバネ２３上に設ける。よって、バネ下敷２４は、渦巻きバネ２３と該回路ボードに内設する回路ボードとの間に介在して該回路ボードを保護する作用を有する。
【００２４】
支持座２６は底面の中心の位置に取り付け軸２６１を設ける。取り付け軸２６１は上端から軸方向に切り欠き状の溝を形成する。また、回転盤２５の円の中心に貫通孔２５２を穿設し、バネ下敷２４の中心にも同様に貫通孔を穿設し、回転盤２５の貫通孔２５２と、バネ下敷２４の貫通孔に取り付け軸２６１を貫通させ、回転盤２５を支持座２６に設ける。
【００２５】
渦巻きバネ２３は、内側端縁部２３１を支持座２６の取り付け軸２６１に形成した切り欠き状の溝を利用して回転盤２５と、バネ下敷２４を貫通した取り付け軸２６１に固定するとともに、外側端縁部を折り曲げて鉤状部２３２を形成し、別途回転盤２５上の上支持部２５１の内壁に係止溝２５３を形成し、該係止溝２５３に渦巻きバネ２３の鉤状部２３２を挿入して固定する。よって、渦巻きバネ２３は取り付け軸２６１と上支持部２５１とに両端が固定され、回転盤２５の時計回り方向、もしくは逆方向への回転によって緊密に巻き取られた状態、もしくは緊密な巻き取りが解放された状態を呈する。
【００２６】
図２、及び図４の左の図に開示するように、回転盤２５は上支持部２５１に上巻き取り溝２５１１を形成し、下支持部２５４に下巻き取り溝２５４１を形成する。コード３は第１ヘッドフォン１から上巻き取り溝２５１１に至り、さらに下巻き取り溝２５４１に二分の一回巻き取る。上支持部２５１の内壁に貫通孔２５５を穿設する。コード３は該貫通孔２５５を貫通して下巻き取り溝２５４１に至る。よって、上巻き取り溝２５１１と下巻き取り溝２５４１は異なる方向にコード３を巻き取る。
【００２７】
前述するコード３の正方向と逆方向に行う巻き取りは、同一のコードであって、且つ同等の長さを条件とする。コード３を引っ張ると、正方向のコード３は、逆方向のコード３をその巻き取り範囲内まで引っ張ることがない。逆方向に巻き取るコード３も同様である。即ち、両者は固定的な等しい長さを常に有する状態にある。よって、引っ張って正方向のコード３に合わせると、逆方向のコード３は収縮を解放する状態を呈する。巻き取って正方向のコード３の位置に復帰させる場合、その逆方向のコード３は回転して合わさる状態になる。
【００２８】
下巻き取り溝２５４１に巻き取るコード３の一端はスピーカー８に接続する。リアカバー２９は音声を外部に伝える孔部２９１を形成するとともに、外周に沿って嵌合溝２９２を形成し、支持座２６の底部外面の柵状壁に形成した係合爪２６２に嵌合させてスピーカー２８を位置決めする。
【００２９】
図５に開示するように、回転盤２５の底面には位置決めレール溝２５６を形成し、支持座２６の該位置決めレール溝２５６に対応する面には位置決め端溝２６３を形成し、位置決めボール２７は支持座２６の位置決め端溝２６３に対応する。位置決めボール２７は位置決め端溝２６３において上下往復運動をして移動し、位置決めする。
【００３０】
次いで、図６、７、８、９、及び図１０に開示するように位置決めレール溝２５６は不規則なスライド溝であって、位置決めボール２３は係るスライド溝の制限によって回転運動を行う。また、位置決めボール２７は支持座２６の面に形成した位置決め端溝２６３の制限を受ける。よって、位置決めボール２７は、位置決め端溝２６３内においてのみスライド的な運行を行う。
【００３１】
次に位置決めレール溝２５６の構造は、位置制限端２５６１を含む。位置制限端２５６１は、溝コース構造の設計をもって専ら位置決めボール２６が転動、スライド、後退、運行、及び係止等の運動を提供するものである。
【００３２】
コード３を引っ張ると、位置決めボール２７は溝コース構造の位置制限溝２５６を通過し、係止作用が発生しない。コード３を引っ張り出す長さが使用者の必要とする長さにし、コード３を弛めると回転盤２５全体が逆方向に回転すると同時に位置決めボール２７を連動させて位置制限端２５６１内に戻し、係止と位置決めの効果を達成する。
【００３３】
位置決めレール溝２５６が円滑で不規則状の溝レールに位置制限端２５６１を組合せることは、逆方向に係止する溝コースを呈し、位置決めボール２７がコード３を正方向に引っ張り、引張りを弛めて逆方向に回転させた場合、位置決めボール２７が連動して位置制限端２５６１内に至る動作の便宜を図るためである。
【００３４】
次に、コード３を引っ張り、回転盤２５が回転する毎に位置決めボール２７が位置制限端２５６１を一回通過する。即ち、一回毎の位置決め機能を有する。コード３の引っ張りがその回の回転において位置制限端２５６１を超えると、次の回の回転においてコード３の引っ張りを弛めると、位置決め機能が得られる。即ち、この考案は派生的な多段位置決め効果を具える。
【００３５】
コード３の回収は、再度コード３を引っ張り、正方向に引っ張り出すことによって位置決めボール２７を位置制限端２５６１内から回転させて出すと係止状態が解放され、位置決めレール溝２５６と位置決めボール２７が逆方向に回転する。よって、位置決めボール２７は位置制限端２５６１内に侵入することなく、引っ張り出したコード３を素早く回収することができる。
【００３６】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３７】
【図１】この考案によるヘッドフォンの外観を示した斜視図である。
【図２】この考案における第２ヘッドフォンの分解図である。
【図３】この考案における第１ヘッドフォンの分解図である。
【図４】この考案によるヘッドフォンの断面図である。
【図５】この考案における回転盤の底面側構造と位置決めボールの関係を示した説明図である。
【図６】この考案における回転盤と、位置決めボールと、位置決め端の動作を示した説明図である。
【図７】この考案における回転盤と、位置決めボールと、位置決め端の動作を示した説明図である。
【図８】この考案における回転盤と、位置決めボールと、位置決め端の動作を示した他の説明図である。
【図９】この考案における回転盤と、位置決めボールと、位置決め端の動作を示したその他説明図である。
【図１０】この考案における回転盤と、位置決めボールと、位置決め端の動作を示した別の説明図である。
【符号の説明】
【００３８】
１              第１ヘッドフォン
１１            外カバー
１１１          押しボタン
１１２          充電ソケット
１１３          電源支持ランプ
１２            耳掛け部
１３            音源コア
１３２          リード線
１３１          電池
１４            支持座
１４１          隙間
１４２          係合爪
１５            スピーカー
１６            リアカバー
１６１          孔部
１５２          嵌合溝
２              第２ヘッドフォン
２１            外カバー
２２            嵌合部材
２３            渦巻きバネ
２３１          内側端縁部
２３２          鉤状部
２４            バネ下敷き
２５            回転盤
２５１          上支持部
２５１１        上巻き取り溝
２５４          下支持部
２５６          位置決めレール溝
２５６１        位置制限端鉤状部
２５４１        下巻き取り溝
２５５          貫通孔
２６            支持座
２６１          取り付け軸
２６２          係合爪
２６３          位置決め端溝
２７            位置決めボール
２８            スピーカー
２９            リアカバー
２９２          嵌合溝
２９１          孔部
３              コード  
【図１】
0003113889.tif 000003
【図２】
0003113889.tif 000004
【図３】
0003113889.tif 000005
【図４】
0003113889.tif 000006
【図５】
0003113889.tif 000007
【図６】
0003113889.tif 000008
【図７】
0003113889.tif 000009
【図８】
0003113889.tif 000010
【図９】
0003113889.tif 000011
【図１０】
0003113889.tif 000012